【手続補正書】
【提出日】平成20年8月22日(2008.8.22)
【手続補正１】
【補正対象書類名】明細書
【補正対象項目名】特許請求の範囲
【補正方法】変更
【補正の内容】
【特許請求の範囲】
【請求項１】  第１の視野位置と第２の視野位置とを含む２以上の視野位置を有し視野を変化させることができる関節鏡であって、
入力ウインドウと、
可動の入力レンズと、
可動の第１ミラーと、
対象物リレーアセンブリと、を備え、
入力ウインドウと、入力レンズと、第１ミラーと、対象物リレーアセンブリとは、関節鏡に入る対象物光線が入力ウインドウと入力レンズとを透過して第１ミラーに至り該第１ミラーから対象物リレーアセンブリに向けて反射するように配置されている視野を変化させることができる関節鏡。
【請求項２】  さらに、固定された整列用光学エレメントを備え、
該整列用光学エレメントは、上記対象物光線が上記第１ミラーから整列用光学エレメントに向けて反射し該光線が該整列用光学エレメントから上記対象物リレーアセンブリに反射するように、位置決めされている請求項１記載の視野を変化させることができる関節鏡。
【請求項３】  上記入力レンズは、入力レンズ軸の回りで回動自在である請求項２記載の視野を変化させることができる関節鏡。
【請求項４】  上記第１ミラーは、ミラー軸の回りで回動自在である請求項３記載の視野を変化させることができる関節鏡。
【請求項５】  上記ミラー軸は、上記第１ミラーの反射面に対して、同一平面上に位置する請求項４記載の視野を変化させることができる関節鏡。
【請求項６】  上記第１ミラーは、前反射面を備えている請求項５記載の視野を変化させることができる関節鏡。
【請求項７】  上記入力レンズ軸と上記ミラー軸とは、平行である請求項４記載の視野を変化させることができる関節鏡。
【請求項８】  上記入力レンズ軸と上記ミラー軸とは、同一の共通軸である請求項７記載の視野を変化させることができる関節鏡。
【請求項９】  上記第１の視野位置と上記第２の視野位置との間での上記共通軸の回りにおける上記第１ミラーの回転角は、上記第１の視野位置と上記第２の視野位置との間での上記共通軸の回りにおける上記入力レンズの回転角の半分である請求項８記載の視野を変化させることができる関節鏡。
【請求項１０】  さらに、上記入力レンズと、上記第１ミラーと、上記整列用光学エレメントと、上記リレーアセンブリとを収容するハウジングチューブを備え、
このハウジングチューブは、入力ウインドウによって閉じられた視野端部を備え、
入力ウインドウは、球形であり且つ曲率を有する第１面と曲率を有する第２面とを備え、
該入力ウインドウの第１面の曲率と第２面の曲率とは、共通の中心点の回りで同心的である請求項８記載の視野を変化させることができる関節鏡。
【請求項１１】  上記共通の中心点は、上記共通軸上に位置する請求項１０記載の視野を変化させることができる関節鏡。
【請求項１２】  さらに、入力レンズフレームを備え、
上記入力レンズは、入力レンズフレームの第１端部に設けられ、
入力レンズフレームは、上記共通軸に隣接する第２端部を備えると共に、上記共通軸に軸支点を有する請求項８記載の視野を変化させることができる関節鏡。
【請求項１３】  さらに、プッシュロッドを有する制御装置を備え、
該プッシュロッドは、スライド端部と入力アセンブリ端部とを備えた請求項８記載の視野を変化させることができる関節鏡。
【請求項１４】  上記制御装置は、さらに、
上記プッシュロッドの上記入力アセンブリ端部に取り付けられたプッシュロッドヨークと、
第１ヨークピンによってプッシュロッドヨークに取り付けられると共に入力レンズフレームピンによって入力レンズフレームに取り付けられた入力レンズ接続ロッドと、
上記第１ミラーが取り付けられる第１ミラーフレームと、
第２ヨークピンによって上記プッシュロッドヨークに取り付けられると共に第１ミラーフレームピンによって第１ミラーフレームに取り付けられる第１ミラー接続ロッドと、を備え、
上記第１ヨークピンと上記第２ヨークピンとは同軸である請求項１３記載の視野を変化させることができる関節鏡。
【請求項１５】  上記共通軸から上記入力レンズフレームピンまでの距離は、上記共通軸から上記第１ミラーフレームピンまでの距離の半分である請求項１４記載の視野を変化させることができる関節鏡。
【請求項１６】  上記制御装置は、さらに、
上記プッシュロッドの上記スライド端部に取り付けられ横方向に移動自在であるスライド部と、
該スライド部を移動させるためのカム／軸アセンブリと、
カム／軸アセンブリを操作するための視野制御装置と、を備えた請求項１３記載の視野を変化させることができる関節鏡。
【請求項１７】  さらに、上記入力レンズと、上記第１ミラーと、上記整列用光学エレメントと、上記リレーアセンブリとを収容するハウジングチューブを備え、
このハウジングチューブは、上記入力ウインドウによって閉じられた視野端部を備え、
入力ウインドウは、球形であり且つ曲率を有する第１面と曲率を有する第２面とを備え、
該入力ウインドウの第１面の曲率と第２面の曲率とは、共通の中心点の回りで同心的である請求項２記載の視野を変化させることができる関節鏡。
【請求項１８】  上記整列用光学エレメントは、第２ミラーである請求項２記載の視野を変化させることができる関節鏡。
【請求項１９】  上記整列用光学エレメントは、プリズムである請求項２記載の視野を変化させることができる関節鏡。
【請求項２０】  上記入力レンズは円錐発散レンズである請求項２記載の視野を変化させることができる関節鏡。
【請求項２１】  上記入力レンズは、２つの球状レンズからなる二重レンズである請求項２記載の視野を変化させることができる関節鏡。
【請求項２２】  第１の視野位置と第２の視野位置とを含む２つ以上の視野位置を有し視野を変化させることができる関節鏡であって、
入力レンズと、
第１ミラーと、
プリズムと、を備え、
入力レンズと第１ミラーとプリズムとは、関節鏡の各視野位置において対象物からの光線を捕捉して方向付けるべく協働するように配置され、これによって、該光線は、入力レンズを透過して第１ミラーに至り該第１ミラーからプリズムに反射して該プリズムを通して所望の方向に内部反射するようにした、視野を変化させることができる関節鏡。
【請求項２３】  上記ミラーは、回動自在である請求項２２記載の視野を変化させることができる関節鏡。
【請求項２４】  上記入力レンズは、回動自在である請求項２３記載の視野を変化させることができる関節鏡。
【請求項２５】  上記ミラーと上記入力レンズとは、同一の軸を中心として回動する請求項２４記載の視野を変化させることができる関節鏡。
【請求項２６】  上記第１の視野位置と上記第２の視野位置との間での上記軸の回りにおける上記ミラーの回転角は、上記第１の視野位置と上記第２の視野位置との間での上記軸の回りにおける上記入力レンズの回転角の半分である請求項２５記載の視野を変化させることができる関節鏡。
【請求項２７】  さらに、リレーレンズシステムを備え、
上記プリズムは、関節鏡の上記各視野位置において、上記対象物からの光線をリレーレンズシステム内に案内する請求項２２記載の視野を変化させることができる関節鏡。
【請求項２８】  上記リレーレンズシステムは、光学的中心を有し、
上記プリズムは、上記ミラーから受け取られた対象物の軸光線をリレーレンズシステムの上記光学的中心に反射するように方向付けられた請求項２７記載の視野を変化させることができる関節鏡。
【請求項２９】  第１の視野位置と第２の視野位置とを含む２つ以上の視野位置を有し視野を変化させることができる関節鏡において移動自在である対象物入力アセンブリを操作するための関節鏡制御装置であって、対象物入力アセンブリの方向性によって関節鏡の視野位置が決定されるようにした関節鏡制御装置にして、
入力アセンブリ端部とスライド端部とを備え入力アセンブリ端部において対象物入力アセンブリに接続されたプッシュロッドであって、第１の視野位置に対応する第１位置と第２の視野位置に対応する第２位置との間で横方向に移動自在であるプッシュロッドと、
対象物入力アセンブリの位置を選択するための回転自在な制御ノブと、
該制御ノブに接続されると共にプッシュロッドのスライド端部に接続され制御ノブの回転運動を横方向の並進運動に変化させるカム／軸アセンブリであって、制御ノブの回転に応答して第１位置と第２位置との間でプッシュロッドを移動させるべくプッシュロッドにおける横方向の運動を生じさせるカム／軸アセンブリと、を備えた関節鏡制御装置。
【請求項３０】  上記プッシュロッドは、ヒンジを介して、入力レンズと第１ミラーとに取り付けられた請求項２９記載の関節鏡制御装置。
【請求項３１】  長手軸に沿って延在するハウジングチューブを備えた関節鏡用の光ガイドアセンブリであって、
入力端部とリレーロッド端部とを備えた入力ロッドであって、第１軸に沿って延在する入力ロッドと、
入力ロッド端部と出力端部とを備え第２軸に沿って延在するリレーロッドであって、第２軸が第１軸に対して実質的に直角であるように入力ロッド端部においてリレーロッド端部に接続されたリレーロッドと、を備え、
入力ロッドとリレーロッドとは、光伝達材料から形成された光ガイドアセンブリ。
【請求項３２】  上記入力ロッドと上記リレーロッドとは、端部において光透過面を有し、
入力ロッドの面とリレーロッドの面とは、上記光透過面以外の部位で反射されるようにした請求項３１記載の光ガイドアセンブリ。
【請求項３３】  上記リレーロッドの直径は、上記入力ロッドの直径よりも大きい請求項３２記載の光ガイドアセンブリ。
【請求項３４】  上記リレーロッドの上記入力ロッド端部は、入力ロッドがリレーロッドに接続される部位の反対側において湾曲面を有する請求項３２記載の光ガイドアセンブリ。
【請求項３５】  上記リレーロッドの上記湾曲面の曲率半径は、実質的に、上記入力ロッドの直径と等しいか若しくは該直径よりも大きい請求項３４記載の光ガイドアセンブリ。
【請求項３６】  上記リレーロッドの上記出力端部は、反射されるようにした第１湾曲面であってリレーロッドの上記入力ロッド端部から到達した光線を反射するように位置決めされた第１湾曲面と、透明な第２湾曲面であってリレーロッドの入力端部と第１反射湾曲面とから到達した光線を屈折させるように位置決めされた第２湾曲面と、を有する請求項３２記載の光ガイドアセンブリ。
【請求項３７】  上記第１湾曲面の曲率半径は、上記リレーロッドの直径と等しいか若しくは該直径よりも大きい請求項３６記載の光ガイドアセンブリ。